(57)【要約】【課題】記憶装置の外部システムへの取り付けによって生じるベースプレートの歪みが記憶媒体とヘッドとの位置関係に与える影響を軽減すること。【解決手段】記憶装置１のベースプレート１０が有する４箇所の取付部２１〜２４のうち少なくとも１箇所の取付部近傍に切欠４１を設ける。記憶装置１の取り付けによって発生した応力は、切欠４１で開放されるので、ベースプレート１０に取り付けられた磁気ディスクとヘッドとの位置関係に与える影響を軽減することができる。【選択図】図１
2010262720.tif 000002
【特許請求の範囲】
【請求項１】
記憶媒体と前記記憶媒体に対して情報の記録再生を行うヘッドとをベースプレートに設置し、前記ベースプレートにカバープレートが被装される記憶装置であって、
前記ベースプレートは、
前記記憶媒体を設置する記憶媒体設置部と、
前記ヘッドを設置するヘッド設置部と、
前記カバープレートを固定する複数の固定部と、
外部システムへの取り付けに使用され、前記固定部近傍に各々設置される少なくとも４箇所の取付部と、
少なくとも１箇所の前記取付部と前記固定部との間に設けた応力開放部と
を備えたことを特徴とする記憶装置。
【請求項２】
前記応力開放部は、前記取付部のうち、前記記憶媒体設置部及び／又は前記ヘッド設置部との距離が最大となる取付部と当該取付部近傍の固定部との間に設けることを特徴とする請求項１に記載の記憶装置。
【請求項３】
前記応力開放部は、前記取付部のうち、前記記憶媒体設置部までの距離と前記ヘッド設置部までの距離との差が最小となる取付部と当該取付部近傍の固定部との間に設けることを特徴とする請求項１または２に記載の記憶装置。
【請求項４】
前記応力開放部は前記ベースプレートの基準面に平行な形状の切欠を含むことを特徴とする請求項１〜３のいずれか一つに記載の記憶装置。
【請求項５】
前記ベースプレートは、前記記憶媒体へのアクセスが停止中である場合に前記ヘッドが退避するヘッド退避部をさらに備え、前記取付部のうち前記固定部との間に前記応力開放部を設ける取付部は、当該取付部から前記記憶媒体設置部までの距離、当該取付部から前記ヘッド設置部までの距離、および当該取付部から前記ヘッド退避部までの距離の３つの距離の中の最小値が最も大きくなる取付部であることを特徴とする請求項１〜４のいずれか一つに記載の記憶装置。
【請求項６】
記憶媒体を内蔵する記憶装置に用いるベースプレートであって、
前記記憶媒体を設置する記憶媒体設置部と、
前記記憶媒体に対して情報の記録再生を行うヘッドを設置するヘッド設置部と、
前記ベースプレートを密閉するカバープレートを固定する複数の固定部と、
前記記憶装置の外部システムへの取り付けに使用され、前記固定部近傍に各々設置される少なくとも４箇所の取付部と、
少なくとも１箇所の前記取付部と前記固定部との間に設けた応力開放部と
を備えたことを特徴とするベースプレート。
【発明の詳細な説明】
【技術分野】
【０００１】
本発明は、記憶媒体とヘッドとを設置するベースプレート、および記憶媒体とヘッドとをベースプレートに設置した記憶装置に関する。
【背景技術】
【０００２】
記憶媒体とヘッドとの位置関係は、記憶媒体に対する書き込みや記憶媒体からの読み出しの精度に影響する。例えば、記憶媒体の表面に対して垂直方向の位置精度、すなわち記憶媒体からヘッドまでの距離の精度は、読み書きの際の信号強度に影響する。また、記憶媒体の表面に対して水平方向の位置精度は、記憶媒体上のどの位置にアクセスするかの精度に影響する。
【０００３】
そこで従来から、ＣＤ（Compact Disc）やフロッピィディスク（登録商標）などの記憶媒体にアクセスする記憶装置では、記憶媒体にアクセスするヘッドの組み付け精度を向上する技術が考えられてきた。
【０００４】
また、記憶装置を外部のシステムに取り付けて使用する構成では、記憶装置に設けたネジ穴などの取付部の位置と、取付先の対応箇所の位置とのずれによって記憶装置の筐体に応力が加わり、筐体の歪みの原因となる場合があった。そこで従来、記憶装置を外部システムに取り付けることで生じる記憶装置の筐体の歪みを軽減する技術が考えられてきた。
【先行技術文献】
【特許文献】
【０００５】
【特許文献１】特開２００４−３４２２０１号公報
【特許文献２】特開２００２−１９０１８９号公報
【特許文献３】実開平５−３６６８７号公報
【発明の概要】
【発明が解決しようとする課題】
【０００６】
ハードディスクドライブのように記憶媒体を内蔵する記憶装置では、ヘッドと記憶媒体を筐体内部に組み付けて密閉することでヘッドの低浮上量を確保する。このように記憶媒体を内蔵する記憶装置では、ヘッドと記憶媒体とを同一の部材、例えばベースプレートに取り付けることで、記憶媒体とヘッドとの位置関係の精度を向上することができる。
【０００７】
ベースプレートは、さらに、記憶装置を外部システム、例えばコンピュータシステムや外付けハードディスクドライブなどに取り付けるネジ穴などの取付部を有する。しかしながら、ベースプレートに設けた取付部で記憶装置を外部システムに取り付けた場合、取り付けによってベースプレートに歪みが生じると、記憶媒体とヘッドとの位置関係に影響するという問題点があった。
【０００８】
ハードディスクドライブは媒体とヘッド、さらに読み書きの停止中にヘッドが退避するランプをベースプレートに一体として取付けられている為、ベースプレートの歪みにより、ナノオーダーで浮上するヘッドと媒体とがクラッシュを引き起こす可能性がある。対して、先行技術のフロッピィディスクやＣＤ、光磁気ディスク（MO: Magneto-Optical disk）などのリムーバムル媒体ではヘッドが浮上しないので、ベースプレートの歪みによってクラッシュが起きるといった問題は発生しない。また、リムーバブル媒体では、低浮上量確保のための密閉性は問題にならない。
【０００９】
開示の技術は、上記に鑑みてなされたものであって、記憶媒体を内蔵する記憶装置において、低浮上量の確保の為の密閉性を確保しつつ、ベースプレートの歪みを低減させることのできる記憶装置およびベースプレートを提供することを目的とする。
【課題を解決するための手段】
【００１０】
本願の開示する記憶装置およびベースプレートは、記憶媒体設置部、ヘッド設置部、外部システムへの取り付けに使用される少なくとも４箇所の取付部をベースプレートに備え、取付部のうち少なくとも１箇所の近傍に切欠部を設けている。
【発明の効果】
【００１１】
本願の開示する記憶装置およびベースプレートによれば、低浮上量の確保の為の密閉性を確保しつつ、外部システムへの取り付けによるベースプレートの歪みを低減させることのできる記憶装置およびベースプレートを得ることができるという効果を奏する。
【図面の簡単な説明】
【００１２】
【図１】図１は、本実施例にかかる記憶装置の外観図である。
【図２】図２は、従来の記憶装置の外観図である。
【図３】図３は、記憶装置の内部構成についての説明図である。
【図４】図４は、ベースプレートの断面図である。
【図５】図５は、２箇所の取付部に水平方向の切欠と垂直方向の切欠とを設けた構造についての説明図である。
【図６】図６は、図５に示したベースプレート１０の下面図である。
【図７】図７は、従来のベースプレートの上面図である。
【図８】図８は、従来のベースプレートの下面図である。
【図９】図９は、幅方向の切欠４３を切り残した切欠部Ｐ１についての説明図である。
【図１０】図１０は、長手方向の切欠４２を切り残した切欠部Ｐ２についての説明図である。
【図１１】図１１は、長手方向の切欠４２と幅方向の切欠４３の双方を切り残した切欠部Ｐ３についての説明図である。
【図１２】図１２は、切欠部によるベースプレートの歪みの変化についての説明図である。
【図１３】図１３は、解析時の切欠形状と与えた歪み量の条件についての説明図である。
【図１４】図１４は、切欠部を取付部２１のみに設け、切欠の形状を変化させた場合の改善効果の比較結果の説明図である。
【図１５】図１５は、切欠部Ｐ１と切欠部Ｐ２の改善率についての説明図である。
【図１６】図１６は、切欠部Ｐ１を設ける位置による改善効果の比較結果の説明図である。
【図１７】図１７は、取付部２１〜２４から記憶媒体設置部１１、ランプ部１２、ヘッド設置部１３までの距離についての説明図である。
【図１８】図１８は、記憶装置を搭載したコンピュータシステムについての説明図である。
【発明を実施するための形態】
【００１３】
以下に、本願の開示する記憶装置およびベースプレートの実施例を図面に基づいて詳細に説明する。なお、この実施例によりこの発明が限定されるものではない。
【実施例】
【００１４】
図１は、本実施例にかかる記憶装置の外観図である。図１に示した記憶装置１は、２．５インチのハードディスクドライブである。２．５インチのハードディスクの外形寸法や取付部の位置などには例えばＳＦＦ（Ｓｍａｌｌ  Ｆｏｒｍ  Ｆａｃｔｏｒ）規格等の規格が定められている。具体的には、外形寸法は幅が６９．８５ｍｍ、長さが１００．４５ｍｍであり、高さは７ｍｍから１９．０５ｍｍである。図１では、幅をＹ方向、長さをＸ方向、高さをＺ方向として示している。なお、以降の説明では、Ｚ方向のカバープレート１８側を上、ベースプレート１０側を下として説明する。従って、記憶装置１においてＸＹ平面に平行な面のうち、カバープレート１８側の面が上面、ベースプレート１０側の面が下面もしくは底面となる。また、以降は、Ｘ方向を長手方向、Ｙ方向を幅方向として説明を行なう。
【００１５】
２．５インチのハードディスクドライブの規格は、高さの外形寸法については７ｍｍから１９．０５ｍｍまでの幅があるが、何れの規格であっても幅寸法や長さ寸法に比べ高さ寸法が小さい。そのため、２．５インチのハードディスクドライブは、６９．８５ｍｍ×１００．４５ｍｍで形成される底面に対して垂直なＺ方向の力を受けた場合には歪みが発生し易い形状となっている。
【００１６】
また、２．５インチハードディスクドライブは、ＸＺ平面に平行な２つの側面部に各々２箇所、底面部に４箇所のネジ穴を、外部システムへの取り付け用として有するのが一般的である。なお、側面部は１００．４５ｍｍ×７ｍｍ〜１９．０５ｍｍで形成される面であり、底面部は６９．８５ｍｍ×１００．４５ｍｍで形成される面である。
【００１７】
図１では、側面部のネジ穴３１の１つと、後述する底面部のネジ穴３２の１つとを１セットとし、ひとつの取付部としている。記憶装置１は、底面部の４つの角にそれぞれ１箇所ずつ計４箇所の取付部２１〜２４が設けられている。なお、各取付部２１〜２４の近傍には、カバープレート１８を固定するカバー固定穴３３を設けているが、カバー固定穴３３は取付部２１〜２４に含まれない。
【００１８】
記憶装置１は、取付部２１〜２４のうち少なくとも一箇所の近傍に切欠部が設けられている。図１では、取付部２１とカバー固定穴３３との間に切欠４１が設けられている。図２は従来の記憶装置の外観図である。図２に示した従来の記憶装置１０１は、記憶装置１と同様の外形寸法を有し、記憶装置１と同様に取付部２１〜２４が設けられている。しかしながら、記憶装置１０１は、取付部２１のネジ穴３１とカバー固定穴３３との間に切欠を設けていない点で記憶装置１と異なる。
【００１９】
記憶装置１の取付部２１は、近傍に切欠４１が設けられているために記憶装置１０１の取付部２１と比して厚みが小さくなり、Ｚ方向の剛性が低下する。そのため、記憶装置１の取付部２１〜２４を全て使用して取り付けを行なった際にベースプレート１０に発生した応力を切欠４１で開放することができる。
【００２０】
図３は、図１に示した記憶装置の内部構成についての説明図である。図３では、記憶装置１の内部構成を分解図として示している。図３に示したように、記憶装置１は、スピンドルモータ１４、磁気ディスク１５、キャリッジ１６ａ、ボイスコイルモータ１７をベースプレート１０に組み付け、蓋部材であるカバープレート１８で筐体を密閉した構造となる。
【００２１】
磁気ディスク１５は、円盤形状の記憶媒体である。キャリッジ１６ａの先端に設けた磁気ヘッドであるヘッド１６は、磁気ディスク１５に対する書き込みと読み出しを行なう。スピンドルモータ１４は、磁気ディスク１５を回転させるモータである。ボイスコイルモータ１７は、キャリッジ１６ａを回動させるモータである。このキャリッジ１６ａの回動によってヘッド１６は磁気ディスク１５の径方向に移動し、磁気ディスク１５に設けられたトラックを選択することができる。
【００２２】
ベースプレート１０は、記憶媒体設置部１１、ランプ部１２、ヘッド設置部１３を有する。記憶媒体設置部１１は、スピンドルモータ１４を介して記憶媒体である磁気ディスク１５を設置する部位である。ランプ部１２は、磁気ディスク１５に対するアクセスが無い場合にヘッド１６が退避する部位である。ヘッド設置部１３は、キャリッジ１６ａを介してヘッド１６を設置する部位である。ヘッド１６は、アクセスが無い状態ではランプ部１２に退避しており、アクセスが発生した場合に磁気ディスク１５上に移動する。そして、アクセス終了時に磁気ディスク１５上からランプ部１２に退避する。ベースプレート１０の拡大図と断面図を図４に示す。図４に示したように、記憶媒体設置部１１、ランプ部１２、ヘッド設置部１３はベースプレート１０に設けられる。そのため、ベースプレート１０が歪むと記憶媒体設置部１１、ランプ部１２、ヘッド設置部１３の垂直位置決め精度に影響がでる。ここで、ヘッド設置部１３は、キャリッジ１６ａの回転軸を受ける軸受け部である。
【００２３】
また、ベースプレート１０は、記憶装置１の底面となる底面部に、外周部に沿って囲むように壁面部を設けた箱型形状を有する。この壁面部は剛性確保の観点からベースプレート１０上で最も肉厚が厚い部分であり、ベースプレート１０の上下方向の剛性に大きく寄与する。そして、取付部２１〜２４は、ベースプレート１０の壁面部に設けられている。
【００２４】
記憶装置１が取り付けられる外部システムのフレームに歪みがある場合や、平面度が低い場合など、取付部２１〜２４に対応する外部システムのフレーム側の取り付け面の４点に高さずれがあると、記憶装置１を取り付けることでベースプレート１０に歪みが発生する場合がある。
【００２５】
ベースプレート１０の歪みが、ベースプレート１０上に固定されている磁気ディスク１５とヘッド１６、ベースプレート１０上のランプ部１２の相対的な高さに影響すると、データの読み書き不良やヘッドクラッシュ等々の不具合の原因となる。データの読み書き不良は、具体的には、アクセス中の磁気ディスク１５とヘッド１６との距離が大きくなりすぎた場合に発生する。また、ヘッドクラッシュは、アクセス中の磁気ディスク１５とヘッド１６とが接触した場合、ヘッド１６がランプ部１２に退避する際にランプ部１２に衝突した場合、ヘッド１６がランプ部１２から磁気ディスク１５上に移動する際に衝突した場合などに発生する。
【００２６】
そこで、記憶装置１では、４箇所の取付部２１〜２４のうち、少なくとも１箇所の近傍に切欠部を設ける。切欠部を設けることで、取り付け面４点の高さずれにより発生する応力を開放し、壁面部内側の歪みを軽減することができる。このように壁面部内側の歪みを軽減することで、外部システムへの取り付けが磁気ディスク１５、ヘッド１６、ランプ部１２の位置関係に与える影響を軽減することができる。
【００２７】
取付部が４箇所である場合、１箇所の取付部の近傍に切欠部を設けると、切欠部を設けた取付部周辺で歪みを吸収することができる。残りの３箇所の取付部は三点固定となり、歪みのない平面を形成するので、残りの３箇所の取付部で高い剛性を維持したまま記憶装置１を固定することができる。
【００２８】
なお、底面の取付部を３箇所に限定すれば、三点固定となるためベースプレート１０の歪みは回避できる。しかし、記憶装置１の取付先のフレームにおいてどの箇所の取付部が使用されるかが不明であり、取り付け先（ユーザー）によっては特定の１箇所から３箇所の取付部を使用して固定される可能性がある。例えば、取り付け工数を削減する場合や、取付先のフレームに他の装置が干渉し、取付部のうちのいくつかが使用できない場合などである。そのため、記憶装置１に取付部を３箇所しか設けないのは使用用途の制限を受けることとなり、好ましくない。
【００２９】
これに対し、４箇所の取付部のうち１箇所の取付部の近傍に切欠部を設ければ、４箇所の取付部のいずれも使用可能であり、かつ３箇所の取付部をどのように選択してもベースプレートを取り付ける面を規定し、ベースプレートの歪みを回避することができる。また、既に述べたように４箇所の取付部の全てを固定した場合にも、切欠部を設けた取付部の近傍でベースプレートの歪みを吸収し、他の３点で取り付ける面を規定することができる。
【００３０】
このように、４箇所ある取付部の内の１箇所に切欠きをいれた場合、剛性の低下を抑えつつベースプレートのゆがみを抑制することができる。なお、取付部が５箇所以上である場合、３箇所の取付部を残し、他の取付部の近傍にそれぞれ切欠部を設けること好適である。５箇所以上の取付部のうち、３箇所の取付部を使用した場合にはその３点で面を規定することができ、４箇所以上の取付部を使用した場合には切欠部を持たない取付部で剛性を確保しつつ、ベースプレートの歪みを抑制することができるためである。
【００３１】
図１に示した例では、記憶装置１の取付部２１とカバー固定穴３３との間に切欠４１を設けている。この切欠４１は、ベースプレート１０の底面部に平行な形状である。そして、磁気ディスク１５の円盤面は、ベースプレート１０の底面部に平行であるので、切欠４１は磁気ディスク１５の円盤面に対して平行となる。以降、ベースプレート１０の底面部に平行な切欠を水平方向の切欠と言う。
【００３２】
このように水平方向の切欠４１を設けることで、取付部２１の近傍において、ベースプレート１０の底面に垂直な方向の剛性を落とすことができる。また、水平方向の切欠４１に加え、ベースプレート１０の底面に対して垂直な切欠を設けることでさらに取付部近傍の剛性を落とすこともできる。
【００３３】
図５は、２箇所の取付部に水平方向の切欠と垂直方向の切欠とを設けた構造についての説明図である。また、図６は、図５に示したベースプレート１０の下面図である。図７は、従来のベースプレートの上面図であり、図８は従来のベースプレートの下面図である。
【００３４】
図５および図６に示した例では、ベースプレート１０の取付部２１の近傍と取付部２２の近傍に同様の切欠を設けている。取付部２１，２２の近傍に設けた切欠部は、水平方向の切欠４１に加え、ベースプレート１０の底面に対して垂直な切欠４２，４３を有する。切欠４２は、ベースプレート１０の長手方向に平行な切欠である。また、切欠４３は、ベースプレート１０の幅方向に平行な切欠である。この切欠４２，４３は、ベースプレート１０の内壁とネジ穴３１との間に設けることが好適である。
【００３５】
図７および図８に示した従来のベースプレート１０２では、取付部２１〜２４はベースプレート１０２の壁面部と一体化している。一方、図５および図６に示したように、ベースプレート１０では取付部２１，２２は、長手方向の切欠４２が水平方向の切欠４１まで貫通し、幅方向の切欠４３の切り残し部分でベースプレート１０の壁面部と接続している。そのため、取付部２１，２２の近傍では、従来の構成に比して垂直方向の剛性が低くなる。
【００３６】
なお、図５，図６に示した例では、長手方向の切欠４２を水平方向の切欠４１まで貫通させ、幅方向の切欠４３に切り残しを設けているが、切欠部の形状は適宜変更して実施することができる。図９は、図５，図６に示した幅方向の切欠４３を切り残した切欠部Ｐ１についての説明図である。図１０は、長手方向の切欠４２を切り残した切欠部Ｐ２についての説明図である。図１１は、長手方向の切欠４２と幅方向の切欠４３の双方を切り残した切欠部Ｐ３についての説明図である。
【００３７】
図９に斜視図と三面図とを示した切欠部Ｐ１は、長手方向の切欠４２が水平方向の切欠４１まで貫通し、幅方向の切欠４３に切り残しを設けている。これに対し、図１０に斜視図と三面図とを示した切欠部Ｐ２は、幅方向の切欠４３が水平方向の切欠４１まで貫通し、長手方向の切欠４２に切り残しを設けている。また、図１１に斜視図と三面図とを示した切欠部Ｐ３は、長手方向の切欠４２と幅方向の切欠４３のいずれも水平方向の切欠４１まで貫通せず、双方に切り残しを設けている。
【００３８】
切欠部Ｐ１〜Ｐ３のいずれの形状であっても取付部近傍の剛性を落として取り付けによって発生した応力を開放し、ベースプレート１０の歪みを吸収することができる。また、側面部のネジ穴３１と底面部のネジ穴３２のいずれであっても外部システムへの取り付けに使用可能である。さらに、水平方向の切欠４１をネジ穴３１，３２とカバー固定穴３３との間に設けているため、ネジ穴３１，３２を固定したことで歪みが発生したとしてもカバー固定穴３３には歪みは伝わらず、カバープレート１８の固定状態に影響を与えることは無い。そのため、カバープレート１８による密閉性を確保し、ヘッド１６の磁気ディスク１５に対する浮上量の安定化を図ることができる。
【００３９】
図１２は、切欠部によるベースプレートの歪みの変化についての説明図である。図１２は、切欠部の無い従来のベースプレート１０２と切欠部を設けたベースプレート１０における歪みの分布の差を示している。
【００４０】
具体的には、ベースプレート１０２には切欠部を設けておらず、ベースプレート１０には取付部２１の近傍に切欠部を設けている。そして、ベースプレート１０２とベースプレート１０の双方について、取付部２１は、取付部２２〜２４によって形成される面に対して距離ｄだけずらして固定する。取付部２１における固定位置のずれはベースプレート１０２とベースプレート１０とで同一であるが、固定位置のずれが記憶媒体設置部１１とヘッド設置部１３の位置関係に与える影響はベースプレート１０２とベースプレート１０とで異なる。切欠部の無いベースプレート１０２では全体に歪みが分散するため、記憶媒体設置部１１とヘッド設置部１３の位置関係が大きくずれる。これに対し、取付部２１の近傍に切欠部を設けたベースプレート１０では応力が切欠部で開放されるため、記憶媒体設置部１１とヘッド設置部１３の位置関係のずれを軽減することができる。
【００４１】
図１２に示したように、取付部のうち一箇所に切欠きを形成すると、切欠を設けた取付部の近傍に応力が集中する為、全体の歪みが低減して、ヘッドと磁気ディスクとの位置関係のズレは低減できる。一方、切欠を設けた取付部近傍では歪み量が大きくなる為、カバープレートとベースプレートとの密閉性が失われる可能性がある。密閉性が失われると、記憶装置内に異物が流入し、ヘッドの磁気ディスクに対する浮上安定性が失われる。
【００４２】
そこで、カバー固定穴と取付部との間に磁気ディスクと媒体と平行に、すなわちカバープレートと平行に切欠きを形成することで、応力集中による歪みがカバープレートまで伝わることを防ぎ、密閉性を確保することができる。加えて垂直方向に切り込みを入れることで応力の緩和をさらに効果的に実現できる。
【００４３】
つぎに切欠部の形状および位置と位置関係のずれの改善効果との関係について説明する。取付部２１〜２４のうち３箇所を固定し、残った取付部の近傍に切欠部を設けるとともに上下方向の歪みを与えて記憶媒体設置部１１、ランプ部１２、ヘッド設置部１３の相対位置ずれ量について解析した。図１３は、解析時の切欠形状と与えた歪み量の条件についての説明図である。図１３に示したとおり、切欠の幅Ｃは１ｍｍ、切り残しの幅Ｒは０．５ｍｍ、取付部に与える歪み量は１ｍｍとした。
【００４４】
図１４は、切欠部を取付部２１のみに設け、切欠の形状を変化させた場合の改善効果の比較結果の説明図である。図１４に示した相対位置ずれ量最大値とは、取付部２１に１ｍｍの歪み量を与えた場合に、記憶媒体設置部１１、ランプ部１２、ヘッド設置部１３の各々に発生する位置ずれ量のうちの最大の位置ずれ量から最小の位置ずれ量を減じた値である。
【００４５】
切欠部を設けない場合、相対位置ずれ量最大値は０．２７８ｍｍであった。これに対し、幅方向の切欠４３を切り残した切欠部Ｐ１を取付部２１の近傍に設けた場合、相対位置ずれ量最大値は０．１９３ｍｍとなり、切欠部を設けない場合に比して改善率は３１％となった。また、長手方向の切欠４２を切り残した切欠部Ｐ２を取付部２１の近傍に設けた場合、相対位置ずれ量最大値は０．１９３ｍｍとなり、切欠部を設けない場合に比して改善率は３１％となった。そして、長手方向と幅方向の双方を切り残した切欠部Ｐ３を取付部２１の近傍に設けた場合、相対位置ずれ量最大値は０．２１２ｍｍとなり、切欠部を設けない場合に比して改善率は２４％となった。
【００４６】
図１４の比較結果に示されたように、切欠部Ｐ１，Ｐ２のように長手方向の切欠４２と幅方向の切欠４３のいずれか一方に切り残した形状を採用すると、切欠部Ｐ３のように長手方向の切欠４２と幅方向の切欠４３の双方を切り残した場合に比して改善率は高くなる。
【００４７】
なお、図１４の比較結果では、幅方向の切欠４３を切り残した切欠部Ｐ１と長手方向の切欠４２を切り残した切欠部Ｐ２との改善率は同等である。図１５は、切欠部Ｐ１と切欠部Ｐ２の改善率についての説明図である。
【００４８】
切欠部Ｐ１は幅方向の切欠４３を切り残しているのに対し、切欠部Ｐ２は切欠４３に比して長い長手方向の切欠４２を切り残している。切欠４２，４３は、切り残し全体の長さは異なるが、図１５に示したようにネジ穴３２からベースプレート１０の中心方向の切り残し部分、すなわち、記憶媒体設置部１１、ランプ部１２、ヘッド設置部１３への影響が大きい部分については切り残しの長さが同等である。そのため、切欠部Ｐ１と切欠部Ｐ２の改善率も同等となる。
【００４９】
これに対し、切欠部Ｐ３では、長手方向の切欠４２と幅方向の切欠４３の双方を切り残しているので、ネジ穴３２からベースプレート１０の中心方向の切り残し部分が大きくなる。そのため、記憶媒体設置部１１、ランプ部１２、ヘッド設置部１３への歪みの影響が大きくなり、切欠部Ｐ３に比して改善率が低下する。
【００５０】
図１６は、切欠部Ｐ１を設ける位置による改善効果の比較結果の説明図である。具体的には、切欠の無いベースプレート１０２の取付部２１に１ｍｍの歪みを与えた場合の相対位置ずれ量最大値は０．２７８ｍｍであった。これに対し、ベースプレート１０の取付部２１に切欠部Ｐ１を設けて１ｍｍの歪みを与えた場合には、相対位置ずれ量最大値は０．１９３ｍｍとなり、改善率は３１％となった。
【００５１】
また、切欠の無いベースプレート１０２の取付部２２に１ｍｍの歪みを与えた場合の相対位置ずれ量最大値は０．３３０ｍｍであった。これに対し、ベースプレート１０の取付部２２に切欠部Ｐ１を設けて１ｍｍの歪みを与えた場合には、相対位置ずれ量最大値は０．２４２ｍｍとなり、改善率は２７％となった。
【００５２】
そして、切欠の無いベースプレート１０２の取付部２３に１ｍｍの歪みを与えた場合の相対位置ずれ量最大値は０．４９８ｍｍであった。これに対し、ベースプレート１０の取付部２３に切欠部Ｐ１を設けて１ｍｍの歪みを与えた場合には、相対位置ずれ量最大値は０．４５０ｍｍとなり、改善率は１０％となった。
【００５３】
また、切欠の無いベースプレート１０２の取付部２４に１ｍｍの歪みを与えた場合の相対位置ずれ量最大値は０．４８１ｍｍであった。これに対し、ベースプレート１０の取付部２４に切欠部Ｐ１を設けて１ｍｍの歪みを与えた場合には、相対位置ずれ量最大値は０．４２５ｍｍとなり、改善率は１２％となった。
【００５４】
このように、取付部２１の近傍に切欠部を設けた場合に相対位置ずれ量は最も大きく改善される。また、取付部２３，２４の近傍に切欠部を設けた場合には取付部２１，２２に切欠部を設けた場合に比して改善効果が小さくなる。
【００５５】
この結果は、歪みを与える取付部が記憶媒体設置部１１、ランプ部１２、ヘッド設置部１３から遠いほど、記憶媒体設置部１１、ランプ部１２、ヘッド設置部１３は歪みの影響を受けにくく、各々で発生する位置ずれが小さくなることを示している。また、取付部に与えた歪みの影響は距離に応じて減ずることから、記憶媒体設置部１１、ランプ部１２、ヘッド設置部１３の３箇所における相対的な位置ずれ量は、歪みを与えた取付部から３箇所への距離が均等である方が小さくなる。
【００５６】
そのため、取付部２１〜２４のうち、記憶媒体設置部１１、ランプ部１２、ヘッド設置部１３までの距離の最小値が大きい取付部の近傍に切欠部を設けることが好適となる。また、取付部２１〜２４のうち、記憶媒体設置部１１、ランプ部１２、ヘッド設置部１３の３箇所までの距離の差が小さい取付部、例えば３箇所までの距離のうちの最大値と最小値との差が小さい取付部の近傍に切欠部を設けることが好適となる。
【００５７】
各取付部について、その取付部から記憶媒体設置部１１までの距離、ランプ部１２までの距離、ヘッド設置部１３までの距離の３つの距離の最大値をＭａｘ、最小値をＭｉｎとする。この時、最小値Ｍｉｎが大きいほど、取付部から記憶媒体設置部１１、ランプ部１２、ヘッド設置部１３までが遠くなる。そのため、この取付部に歪みを与えた場合に記憶媒体設置部１１、ランプ部１２、ヘッド設置部１３は歪みの影響を受けにくく、各々で発生する位置ずれが小さくなる。
【００５８】
さらに、取付部から記憶媒体設置部１１、ランプ部１２、ヘッド設置部１３までの距離の最大値と最小値との差ＲａｎｇｅはＭａｘ−Ｍｉｎとして求められる。このＲａｎｇｅの値が小さいほど、その取付部から記憶媒体設置部１１、ランプ部１２、ヘッド設置部１３までの距離が均等に近くなる。そのため、この取付部に歪みを与えた場合に記憶媒体設置部１１、ランプ部１２、ヘッド設置部１３における相対的な位置ずれ量は小さくなる。
【００５９】
このように、切欠を設ける取付部は、Ｍｉｎが大きく、Ｒａｎｇｅが小さいことが好適である。ここでは、評価値としてＭｉｎ−Ｒａｎｇｅを採用し、この値が最大となる取付部の近傍に切欠部を設ける例について説明する。
【００６０】
図１７は、取付部２１〜２４から記憶媒体設置部１１、ランプ部１２、ヘッド設置部１３までの距離についての説明図である。取付部２１から記憶媒体設置部１１までの距離は４５．５ｍｍ、ランプ部１２までの距離は６６．２ｍｍ、ヘッド設置部１３までの距離は７８．６ｍｍである。したがって、Ｍａｘは７８．６、Ｍｉｎは４５．５、Ｒａｎｇｅは３３．１、Ｍｉｎ−Ｒａｎｇｅは１２．４となる。
【００６１】
また、取付部２２から記憶媒体設置部１１までの距離は３９．７ｍｍ、ランプ部１２までの距離は７２．２ｍｍ、ヘッド設置部１３までの距離は５０．３ｍｍである。したがって、Ｍａｘは７２．２、Ｍｉｎは３９．７、Ｒａｎｇｅは３２．６、Ｍｉｎ−Ｒａｎｇｅは７．１となる。
【００６２】
同様に、取付部２３から記憶媒体設置部１１までの距離は５９．０ｍｍ、ランプ部１２までの距離は２８．５ｍｍ、ヘッド設置部１３までの距離は６５．７ｍｍである。したがって、Ｍａｘは６５．７、Ｍｉｎは２８．５、Ｒａｎｇｅは３７．２、Ｍｉｎ−Ｒａｎｇｅは−８．７となる。
【００６３】
また、取付部２４から記憶媒体設置部１１までの距離は５４．４ｍｍ、ランプ部１２までの距離は４０．５ｍｍ、ヘッド設置部１３までの距離は２６．３ｍｍである。したがって、Ｍａｘは５４．４、Ｍｉｎは２６．３、Ｒａｎｇｅは２８．２、Ｍｉｎ−Ｒａｎｇｅは−１．９となる。
【００６４】
このように、取付部２１〜２４から記憶媒体設置部１１、ランプ部１２、ヘッド設置部１３までの距離を評価することで、いずれの取付部の近傍に切欠部を設けるかを適切に選択し、相対高さのずれを効率よく低減することができる。
【００６５】
ベースプレート１０に切欠部を設けた記憶装置１は、任意のシステムに取り付けることができる。図１８は、記憶装置を搭載したコンピュータシステムについての説明図である。図１８に示した例では、コンピュータシステム２の下面に２．５インチのハードディスクドライブである記憶装置１を取り付け、カバー３で覆っている。記憶装置１の取り付けに際しては、取付部２１〜２４をネジ止めして固定する。
【００６６】
以上説明してきたように、本実施例にかかる記憶装置１は、ベースプレート１０の４箇所の取付部のうち少なくとも１箇所の近傍に切欠部を設けることで、取り付けによって発生したベースプレート１０の歪みによる壁面部の変形を抑制する。そのため、外部システムへの取り付けが磁気ディスク１５とヘッド１６との位置関係に与える影響を軽減することができる。
【００６７】
例えば、ベースプレートの取り付けによって発生する歪みを解消するため、弾性体を介した固定とすることも考えられるが、弾性体追加によって部品費が増大し、取付部の高さ方向の寸法精度や平行度が悪化し、工程数も増加するという問題がある。これに対し、開示の切欠部は、鋳型や金属加工によって形成することができるので、従来と同一のベースプレート製造工程の中で簡単に精度よく形成することができる。そのため、部品費の増大や寸法精度の劣化を伴うことなく切欠部を設けることができる。また、規格に定められた４箇所の取付部を全て有するので使用用途の制限を受けることも無い。
【００６８】
また、４箇所の取付部のうち、３箇所を残し、１箇所の取付部の近傍に切欠部を設けることで、剛性の高い３箇所の取付部で固定しつつ、切欠部近傍の取付部で歪みを吸収することができる。
【００６９】
近傍に切欠部を設ける取付部は、記憶媒体設置部１１、ランプ部１２、ヘッド設置部１３までの距離を評価することで、相対高さのずれを効率よく低減可能な取付部を選択することができる。具体的には、記憶媒体設置部１１、ランプ部１２、ヘッド設置部１３までの距離が最大となる取付部の近傍に切り込みを設けることで、記憶媒体設置部１１、ランプ部１２、ヘッド設置部１３において生じる各々の高さずれを少なくすることができる。また、記憶媒体設置部１１、ランプ部１２、ヘッド設置部１３までの距離の差が最小となる取付部の近傍に切欠部を設けることで、記憶媒体設置部１１、ランプ部１２、ヘッド設置部１３の相対的な高さのずれを少なくすることができる。
【００７０】
また、磁気ディスク１５およびベースプレート１０の底面に平行な切欠を形成することで、ベースプレート１０の底面に対して垂直方向の歪みを吸収することができる。さらに、切欠を取付部とカバー固定穴３３との間に設けることで、カバー固定穴３３には歪みは伝わらないのでカバープレート１８の固定状態への影響を回避できる。
【００７１】
なお、本実施例では、２．５インチのハードディスクドライブを例に説明を行なったが、４箇所以上の取付部と記憶媒体設置部とヘッド設置部とをベースプレートに設ける構成であれば、任意の装置に対して適用可能である。また、切欠の形状についても、近傍の剛性を低下させることができれば任意の形状を用いることができる。
【００７２】
以上の各実施例を含む実施形態に関し、さらに以下の付記を開示する。
【００７３】
（付記１）記憶媒体と前記記憶媒体に対して情報の記録再生を行うヘッドとをベースプレートに設置し、前記ベースプレートにカバープレートが被装される記憶装置であって、
前記ベースプレートは、
前記記憶媒体を設置する記憶媒体設置部と、
前記ヘッドを設置するヘッド設置部と、
前記カバープレートを固定する複数の固定部と、
外部システムへの取り付けに使用され、前記固定部近傍に各々設置される少なくとも４箇所の取付部と、
少なくとも１箇所の前記取付部と前記固定部との間に設けた応力開放部と
を備えたことを特徴とする記憶装置。
【００７４】
（付記２）前記応力開放部は、前記取付部のうち、前記記憶媒体設置部及び／又は前記ヘッド設置部との距離が最大となる取付部と当該取付部近傍の固定部との間に設けることを特徴とする付記１に記載の記憶装置。
【００７５】
（付記３）前記応力開放部は、前記取付部のうち、前記記憶媒体設置部までの距離と前記ヘッド設置部までの距離との差が最小となる取付部と当該取付部近傍の固定部との間に設けることを特徴とする付記１または２に記載の記憶装置。
【００７６】
（付記４）前記応力開放部は前記ベースプレートの基準面に平行な形状の切欠を含むことを特徴とする付記１〜３のいずれか一つに記載の記憶装置。
【００７７】
（付記５）前記応力開放部は、前記ベースプレートの基準面に垂直な形状の切欠をさらに含むことを特徴とする付記４に記載の記憶装置。
【００７８】
（付記６）前記ベースプレートは、前記記憶媒体へのアクセスが停止中である場合に前記ヘッドが退避するヘッド退避部をさらに備え、前記取付部のうち前記固定部との間に前記応力開放部を設ける取付部は、当該取付部から前記記憶媒体設置部までの距離、当該取付部から前記ヘッド設置部までの距離、および当該取付部から前記ヘッド退避部までの距離の３つの距離の中の最小値が最も大きくなる取付部であることを特徴とする付記１〜５のいずれか一つに記載の記憶装置。
【００７９】
（付記７）記憶媒体を内蔵する記憶装置に用いるベースプレートであって、
前記記憶媒体を設置する記憶媒体設置部と、
前記記憶媒体に対して情報の記録再生を行うヘッドを設置するヘッド設置部と、
前記ベースプレートを密閉するカバープレートを固定する複数の固定部と、
前記記憶装置の外部システムへの取り付けに使用され、前記固定部近傍に各々設置される少なくとも４箇所の取付部と、
少なくとも１箇所の前記取付部と前記固定部との間に設けた応力開放部と
を備えたことを特徴とするベースプレート。
【００８０】
（付記８）記憶媒体と前記記憶媒体に対し情報の記録再生を行うヘッドとをベースプレートに設置し、前記ベースプレートにカバープレートが被装される記憶装置を有するコンピュータシステムであって、
前記ベースプレートは、
前記記憶媒体を設置する記憶媒体設置部と、
前記ヘッドを設置するヘッド設置部と、
前記カバープレートを固定する複数の固定部と、
前記記憶装置の前記コンピュータシステムへの取り付けに使用され、前記固定部近傍に各々設置される少なくとも４箇所の取付部と、
少なくとも１箇所の前記取付部と前記固定部との間に設けた応力開放部と
を備えたことを特徴とするコンピュータシステム。
【符号の説明】
【００８１】
１，１０１  記憶装置
２  コンピュータシステム
３  カバー
１０，１０２  ベースプレート
１１  記憶媒体設置部
１２  ランプ部
１３  ヘッド設置部
１４  スピンドルモータ
１５  磁気ディスク
１６  ヘッド
１６ａ  キャリッジ
１７  ボイスコイルモータ
１８  カバープレート
２１〜２４  取付部
３１，３２  ネジ穴
３３  カバー固定穴
４１〜４３  切欠
Ｐ１〜Ｐ３  切欠部
【図１】
2010262720.tif 000003
【図２】
2010262720.tif 000004
【図３】
2010262720.tif 000005
【図４】
2010262720.tif 000006
【図５】
2010262720.tif 000007
【図６】
2010262720.tif 000008
【図７】
2010262720.tif 000009
【図８】
2010262720.tif 000010
【図９】
2010262720.tif 000011
【図１０】
2010262720.tif 000012
【図１１】
2010262720.tif 000013
【図１２】
2010262720.tif 000014
【図１３】
2010262720.tif 000015
【図１４】
2010262720.tif 000016
【図１５】
2010262720.tif 000017
【図１６】
2010262720.tif 000018
【図１７】
2010262720.tif 000019
【図１８】
2010262720.tif 000020